(57)【要約】      （修正有）【課題】スリッパやサンダル甲皮の履き易いが脱げ易い履き口を簡便容易に調節して、履用者の足に密着して脱げないようにしかつ十分な緊締力を保持できるようにする。【解決手段】甲皮となるバンド４の着脱を簡便にしかつバンドの緊締力を容易に調節するために、スリッパ底部１周縁部の両側又はサンダル台周縁部の両側それぞれに、数センチ乃至十数センチの長さの紐又はストラップ３を、数本ないし数十本装着することにより、履用者が必要に応じ隣接する該紐又は該ストラップ３間で結び目を作ると、当該スリッパ底部又は当該サンダル台との間に空隙を生じ、かかる空隙にバンド４を挿通して該バンド４の両端を結び結合することにより、該バンドをスリッパ底部又はサンダル台を吊る甲皮として着脱することができる。【選択図】図２
2005312856.tif 000002
【特許請求の範囲】
【請求項１】
スリッパ底部周縁部の両側又はサンダル台周縁部の両側それぞれに、数センチ乃至十数センチの長さの紐又はストラップを数本ないし数十本装着したことを特徴とするスリッパ底部又はサンダル台
【発明の詳細な説明】
【技術分野】
【０００１】  スリッパ又はサンダルの甲皮を、履用者が必要に応じ素材を選び簡便容易に履き口を調節着脱できる技術である。
【背景技術】
【０００２】  スリッパ又はサンダルの甲皮は履き口を大きくして固着しているため、履きやすいがその反面履き口を簡便容易に調節したり、甲皮を着脱することはできなかった。
【発明の開示】
【発明が解決しようとする課題】
【０００３】  従来、スリッパやサンダルの甲皮は固着して、履きやすいが脱げやすいという両立しえない欠点があった。甲皮となるバンドの着脱も容易ではなかった。スリッパ及びサンダルの利用目的は履き心地の良さと簡易な履きやすさにある。スリッパ及び後部の開いたサンダルには簡易な履きやすさと圧迫感の少ない履き心地の良さがあるが、他面履用時にはスリッパ及びサンダル後部において履用者の足が浮き上がりスリッパ及びサンダルが脱げやすい。そのためスリッパ及び後部の開いたサンダルは、活動時の履用特に長距離の歩行時には履用者のアキレス腱や筋肉にスリッパ及びサンダルを足に保持する為の余分な負担がかかり活動時の履用には適さない。スリッパ及び特に後部の開いたサンダルは、長距離時などにはあまり履用されずその利用範囲は限られていた。【０００４】  スリッパ及びサンダルにおいて、履用者の必要に応じてバンドが着脱できればその利用範囲を広げることができるが、バンド着脱操作自体が簡便でなければ締具としてのバンドを着脱させる意味がない。また締具の着脱を可能としても締具装着時には、履用者に適当な緊縛感を提供できなければバンドを締具として利用する意味がない。【０００５】  スリッパ及び後部の開いたサンダルに、バンドを締具として固着させ脱げないようにするときには、スリッパ及びサンダル後部の開放感が損なわれるという欠点がある。バンドの着脱を可能とする場合でも、バンドの着脱の操作自体が容易でしかもバンド装着時には、履用者に十分な緊縛感を提供できるものでなければバンド着脱の意味をなさず、スリッパ及びサンダルの利用範囲を実質的に広げることはできない。本発明は、スリッパ底部又はサンダル台に簡便容易にバンド着脱できる装置を設け当該装置により締具としてバンドを着脱できるようにした他、バンド装着時には十分な緊縛感とフィット感を履用者に提供できるようにしたものである。
【課題を解決するための手段】
【０００６】  本発明は上記課題を解決するためスリッパ底部周縁部の両側又はサンダル台周縁部の両側それぞれに、数センチ乃至十数センチの長さの紐又はストラップを数本ないし数十本装着し、隣接する装着された該紐又は該ストラップにおいて、履用者が適当に該紐又は該ストラップの結び目を作りこれを牽引するときは、隣接して装着された該紐又は該ストラップとこれら結び目及び当該スリッパ底部又は当該サンダル台との間には、それぞれ隣接する紐及びその結び目又は隣接するストラップ及びその結び目によって空隙を作り出し、かかる空隙にバンドを挿通し該バンドの両端を結び結合することにより、該バンドを当該スリッパ底部又は当該サンダル台を吊る甲皮として着脱できるほか甲皮としてのバンドに緊締力を付与できる。
【発明の効果】
【０００７】  本発明により、履用者はスリッパ及びサンダルの甲皮を必要に応じ簡便容易に着脱できる。すなわちスリッパ底部又はサンダル台周縁部の両側にそれぞれ数センチ乃至十数センチの長さの紐又はストラップを数本ないし数十本装着したスリッパ底部又はサンダル台において、履用者が、隣接して装着された該紐又は該ストラップを適当に足の大きさに応じて、あるいはバンドを挿通させるのに必要な空隙の数に応じて数本ないし数十本装着された紐又はストラップの中から選び出して結び目を作るときは、履用者の好みや用途に応じて、スリッパ底部やサンダル台を創作することができる。当該スリッパ底部及び当該サンダル台に装着された該紐又は該ストラップとこれらの結び目によって生じた空隙に、履用者がその好みに沿って選択したバンドを挿通させ、該バンドの両端を結び結合することにより、あるいは当該スリッパ底部及びサンダル台両側に作成された空隙にそれぞれ該バンドを挿通させてクロスさせることにより、かかる空隙を挿通した該バンドは、かかる空隙を形成するように結び目を生じた該紐又は該ストラップを装着したスリッパ底部又はサンダル台を吊り、該バンドを甲皮として利用できるのみならず、当該スリッパ底部又は当該サンダル台それぞれの両側に、履用者が作成する該紐又は該ストラップの結び目の長さを調節して作成された空隙を挿通した該バンドを、履用者が必要に応じ緊縛し甲皮として、当該スリッパ底部又は当該サンダル台を吊るときは、該バンドとスリッパ底部又は当該サンダル台との間にはさまれた履用者の足は可及的にこれらに密着し、かつ簡便容易に甲皮となるバンドの履き口を調節して履用者の足にフィットさせることができる。
【発明を実施するための最良の形態】
【０００８】  スリッパ底部周縁部の両側又はサンダル台周縁部両側それぞれに、１０センチ乃至１２センチの長さの紐又はストラップを６本ないし１０本装着する。
【実施例】
【０００９】  本発明を図示実施例に従って説明する。スリッパ底部１又はサンダル台２は、通常のスリッパ底部又はサンダル台と同じ構成であり本底、中敷、表敷、ヒールなどより成る。スリッパ底部又はサンダル台は、布、皮革、木、コルク、合成ゴム、合成樹脂、ウレタンソール、スポンジソール、プラスチックソールなどの材料を用いて適宜接着縫着したりなどして成型し作ることができる。
スリッパ底部１又はサンダル台２のそれぞれ周縁部両側に装着する、数センチ乃至十数センチの長さの紐又はストラップ３は、通常の紐又はストラップと同じ素材即ち、綿、合成繊維、天然繊維等の素材より構成され、紐又はストラップ３は、縫着や接着により装着することができる。
バンド４は、布地、合成皮革、天然皮革、合成繊維、天然繊維、合成樹脂等の材料でつくられる。バンド４の形状はスリッパ底部１やサンダル台２のそれぞれ周縁部の両側に装着して結び目を作った隣接する紐又はストラップ３によって形成される空隙を挿通できる形状であればよく、長方形、紐、螺旋状等の造形を自由に採用することができる。バンド４は、スリッパ底部１又はサンダル台２のそれぞれの周縁部両側に数センチ乃至数十センチの長さで装着された数本ないし数十本の紐又はストラップ３において、隣接する該紐又は該ストラップを結んで作成した結び目とスリッパ底部１又はサンダル台２との間に生じた空隙に、バンド４を挿通しその両端を結び結合することにより、バンド４をスリッパ底部１又はサンダル台２を吊る甲皮としてスリッパ底部１又はサンダル台２に装着することができる。
【産業上の利用可能性】
【００１０】  通常、スリッパやサンダル等の履物の甲皮はスリッパ底部やサンダル台に固着し、履き口の調整も限られているが、本発明は甲皮となるストラップの着脱を容易にして、スリッパやサンダルの履物としての利便性ならびに装飾効果を履用者本位に向上させ、これら簡易履物の利用価値及び効果を高めてファッション性を演出することができるから、スリッパやサンダルの利用範囲を著しく増大させることができる。
【図面の簡単な説明】
【００１１】
【図１】本発明の実施例を示した平面図である。
【図２】本発明のバンドの一例を挿通した実施例を示した斜視図である。
【符号の説明】
【００１２】１はスリッパ底部、
２はサンダル台、
３は紐又はストラップ、
４はバンド、の例示である。
【図１】
2005312856.tif 000003
【図２】
2005312856.tif 000004